(57)【要約】【課題】チャイルドレジスタンス機能を無効状態から有効状態へ切り換えることができるキャップを提供する。【解決手段】キャップ（１）は、容器（９）に着脱可能に装着されるねじ式の内キャップ（２）と、内キャップを覆うように内キャップに取り付けられた外キャップ（３）とを備える。キャップ（１）は、外キャップが内キャップに対して相対的に回転できない第１状態から、外キャップに対して内キャップに向かう所定の大きさの力を加えた押圧状態でない限り、外キャップが内キャップに対して緩め方向に相対的に回転する第２状態へ、不可逆的に移行可能である。第１状態では、外キャップが内キャップに対して相対的に回転できないように互いに嵌め合わされる。第２状態では、内キャップに設けられた複数の突起（２０４）の上を、外キャップに設けられた複数の突起（３０６）が滑ることで、外キャップが内キャップに対して相対的に緩め方向に回転する。【選択図】図１１
2020189643.tif 000002
【特許請求の範囲】
【請求項１】
容器に着脱可能に装着されるねじ式の内キャップと、
前記内キャップを覆うように前記内キャップに取り付けられた外キャップとを備え、
前記外キャップが前記内キャップに対して相対的に回転できない第１状態から、前記外キャップに対して前記内キャップに向かう所定の大きさの力を加えた押圧状態でない限り、前記外キャップが前記内キャップに対して緩め方向に相対的に回転する第２状態へ、不可逆的に移行可能なキャップであって、
前記第１状態において、前記外キャップが前記内キャップに対して相対的に回転できないように互いに嵌め合わされ、
前記第２状態において、前記内キャップに設けられた複数の突起の上を、前記外キャップに設けられた複数の突起が滑ることで、前記外キャップが前記内キャップに対して相対的に緩め方向に回転する、
キャップ。
【請求項２】
前記内キャップの複数の突起は、周方向に対して傾斜した第１傾斜部をそれぞれ備え、
前記外キャップの複数の突起は、周方向に対して前記第１傾斜部と逆向きに傾斜した第２傾斜部をそれぞれ備え、
前記第２状態において前記外キャップに緩め方向の力を加えた場合、前記外キャップの前記第２傾斜部は、前記内キャップの前記第１傾斜部に接触し、その後、前記内キャップの前記第１傾斜部の上を滑って乗り越え、これにより、前記容器に対して前記内キャップを相対的に緩め方向に回転させることができず、
前記第２状態において前記外キャップに下向きの力を加えつつ緩め方向の力を加えた場合、前記外キャップの前記第２傾斜部は、これに接触した前記内キャップの前記第１傾斜部を押し、これにより、緩め方向の力が前記内キャップに伝わり、前記内キャップを前記容器に対して相対的に緩め方向に回転させて開栓できる、
請求項１に記載のキャップ。
【請求項３】
前記内キャップの複数の突起は、前記第１傾斜部に周方向に対向して配置され、周方向に対して垂直に延びた第１垂直部を更に備え、
前記外キャップの複数の突起は、前記第２傾斜部に周方向に対向して配置され、周方向に対して垂直に延びた第２垂直部を更に備え、
前記第２状態において前記外キャップに締め方向の力を加えた場合、前記外キャップの前記第２垂直部は、前記内キャップの前記第１垂直部に接触してこれを締め方向に押し、前記内キャップを前記容器に対して相対的に締め方向に回転させて閉栓できる、
請求項２に記載のキャップ。
【請求項４】
前記内キャップ及び前記外キャップは、径方向に突出するとともに周方向に並んだ複数の歯をそれぞれ備え、
前記内キャップの複数の歯と前記外キャップの複数の歯とは、前記第１状態において互いに噛み合う、
請求項１〜３のいずれかに記載のキャップ。
【請求項５】
前記内キャップは、中心軸を中心とする円筒形状の第１周壁を備え、
前記内キャップの複数の歯は、前記第１周壁の上端部の径方向外側表面から径方向外向きに突出し、
前記内キャップの複数の突起は、前記内キャップの複数の歯の下方に配置され、前記第１周壁の径方向内側表面から径方向内向きに突出し、
前記外キャップは、前記中心軸を中心とする円筒形状の第２周壁と、前記第２周壁の径方向内側表面から径方向内向きに突出した内周リブとを備え、
前記外キャップの複数の歯は、前記内周リブの下方に配置され、前記第２周壁の径方向内側表面から径方向内向きに突出し、
前記外キャップの複数の突起は、前記内周リブの上方に配置され、
前記第１状態において、前記外キャップを前記内キャップに向かって所定の大きさで押した場合に、前記外キャップの前記内周リブが前記内キャップの歯を乗り越えることによって、第２状態へ不可逆的に移行する、
請求項１〜４のいずれかに記載のキャップ。
【請求項６】
前記内キャップは、
中心軸を中心とする円筒形状の第１周壁と、
前記第１周壁の上端部の径方向外側表面から径方向外向きに突出した複数の外歯と、
平面視において中空の多角形の形状を有し、径方向内側に径方向内向きに突出して前記複数の歯と噛み合う複数の内歯を有する噛合部と、
前記複数の外歯と前記複数の内歯とを連結する連結部とを備え、
前記外キャップは、
平面視において前記多角形の形状を有する天板部と、
前記天板部の周縁から下方に延びた多角柱形状の第２周壁と、
前記第２周壁の径方向内側表面から径方向内向きに突出した突出部とを備え、
前記第１状態において、前記外キャップの前記突出部は、前記内キャップの噛合部の上に乗り、
前記外キャップを前記内キャップに向かって所定の大きさで押した場合に、前記連結部が破断して、前記噛合部と前記外キャップとが下方に移動することによって、第２状態へ不可逆的に移行する、
請求項１〜３のいずれかに記載のキャップ。
【発明の詳細な説明】
【技術分野】
【０００１】
本発明は、キャップに関し、特に、チャイルドレジスタンス機能を無効状態から有効状態へ切り換えることができるキャップに関する。
【背景技術】
【０００２】
容器、特に医薬品容器に封をするキャップにおいて、子供が簡単にキャップを取り外して容器を開栓し、容器の内容物を誤って摂取することを防ぐチャイルドレジスタンス（ＣＲ）機能を有するキャップが知られている。例えば、特許文献１は、内蓋に対して外蓋を押しながら回さない限り開栓できない安全蓋を開示している。
【先行技術文献】
【特許文献】
【０００３】
【特許文献１】特公平８−５８８号公報
【発明の概要】
【発明が解決しようとする課題】
【０００４】
しかしながら、特許文献１に開示されたＣＲ機能を有する安全蓋は、開栓動作の手順が煩雑であり、また、開栓のためにある程度強い力が必要であるため、特に高齢者にとっては使い勝手が良くない。
【０００５】
本発明は、上記の課題を解決するためになされたものであり、ＣＲ機能を無効状態から有効状態へ切り換えることができるキャップを提供することを目的とする。
【課題を解決するための手段】
【０００６】
本発明の一態様は、容器に着脱可能に装着されるねじ式の内キャップと、内キャップを覆うように内キャップに取り付けられた外キャップとを備えるキャップを提供する。キャップは、外キャップが内キャップに対して相対的に回転できない第１状態から、外キャップに対して内キャップに向かう所定の大きさの力を加えた押圧状態でない限り、外キャップが内キャップに対して緩め方向に相対的に回転する第２状態へ、不可逆的に移行可能である。キャップは、第１状態において、外キャップが内キャップに対して相対的に回転できないように互いに嵌め合わされ、第２状態において、内キャップに設けられた複数の突起の上を、外キャップに設けられた複数の突起が滑ることで、外キャップが内キャップに対して相対的に緩め方向に回転する。
【発明の効果】
【０００７】
本発明により、ＣＲ機能を無効状態から有効状態へ切り換えることができるキャップを得る。
【図面の簡単な説明】
【０００８】
【図１】本発明の第１実施形態に係るキャップの分解斜視図である。
【図２】内キャップの平面図である。
【図３】内キャップの底面図である。
【図４】内キャップを図２のＩＶ−ＩＶ方向に見た片側断面図である。
【図５】外キャップの斜視図である。
【図６】外キャップの平面図である。
【図７】外キャップの底面図である。
【図８】外キャップを図６のＶＩＩＩ−ＶＩＩＩ方向に見た片側断面図である。
【図９】容器と、容器に取り付けられた初期状態のキャップとを示す斜視図である。
【図１０】図９の容器及びキャップの平面図である。
【図１１】図１０の容器及びキャップをＸＩ−ＸＩ方向に見た片側断面図である。
【図１２】図１１のキャップをＸＩＩ−ＸＩＩ方向に見た端面図である。
【図１３】図１２の外キャップの歯及びラチェット爪と、内キャップの歯及びラチェット歯と、を周方向に切断した断面を径方向外側から見た図である。
【図１４】容器と、容器に取り付けられたＣＲ状態のキャップとを示す斜視図である。
【図１５】図１４の容器及びキャップの平面図である。
【図１６】図１５の容器及びキャップをＸＶＩ−ＸＶＩ方向に見た片側断面図である。
【図１７】図１６のキャップをＸＶＩＩ−ＸＶＩＩ方向に見た端面図である。
【図１８】図１７の外キャップの歯及びラチェット爪と、内キャップの歯及びラチェット歯と、を周方向に切断した断面を径方向外側から見た図である。
【図１９】ＣＲ機能を説明するための図である。
【図２０】ＣＲ機能を説明するための図である。
【図２１】ＣＲ機能を説明するための図である。
【図２２】本発明の第２実施形態に係るキャップの分解斜視図である。
【図２３】容器と、容器に取り付けられた初期状態のキャップとを示す斜視図である。
【図２４】図２３の容器及びキャップの平面図である。
【図２５】図２４の容器及びキャップをＸＸＶ−ＸＸＶ方向に見た片側断面図である。
【図２６】図２５のキャップをＸＸＶＩ−ＸＸＶＩ方向に見た端面図である。
【図２７】容器と、容器に取り付けられたＣＲ状態のキャップとを示す斜視図である。
【図２８】図２７の容器及びキャップの平面図である。
【図２９】図２８の容器及びキャップをＸＸＩＸ−ＸＸＩＸ方向に見た片側断面図である。
【図３０】図２９のキャップをＸＸＸ−ＸＸＸ方向に見た端面図である。
【発明を実施するための形態】
【０００９】
以下、本発明の実施形態に係るキャップについて、図面を参照して説明する。各実施形態において、同一の構成には同一の符号を付して、説明を省略する。
【００１０】
＜第１実施形態＞
［１．構造］
［１−１．概要］
図１は、本発明の第１実施形態に係るキャップ１の分解斜視図である。キャップ１は、内キャップ２と外キャップ３とを備える。内キャップ２は、外キャップ３の中に周方向に回転可能に嵌め込まれる。
【００１１】
図１には、説明の便宜のため、中心軸Ｃを示している。本明細書では、中心軸Ｃに平行な方向を軸方向と、軸方向に垂直な方向を径方向と、中心軸を中心とする円周方向を周方向と呼ぶ。軸方向について、紙面に向かって上向きの方向を正とする。軸方向の正方向を上方向、軸方向の負方向を下方向とも呼ぶ。周方向については、容器９に対してキャップ１を回転させた場合にねじが進んでキャップ１が締まる（閉じる）相対的な方向を「締め方向」と、締め方向と反対向きであってねじが後退してキャップ１が緩む（開く）相対的な方向を「緩め方向」と呼ぶ。本明細書及び添付の図面では、容器９に対して相対的に時計回り（右回り）に回した場合に締まる右ねじ式のキャップ１が示されている。
【００１２】
［１−２．内キャップ］
以下、図１〜４を参照して内キャップ２の構造について説明する。図２及び図３は、それぞれ内キャップ２の平面図及び底面図である。図４は、内キャップ２を図２のＩＶ−ＩＶ方向に見た片側断面図である。図４の左半分は内キャップ２の側面図であり、右半分は断面図である。
【００１３】
内キャップ２は、中心軸Ｃを中心とする円板形状の天板部２０１と、天板部２０１の周縁から上方に延びた円筒形状の第１周壁２０２とを備える。第１周壁２０２の上端部付近の径方向外側表面には、径方向外向きに突出した複数の歯２０３が形成されている。歯２０３は、周方向に配列されている。複数の歯２０３は、平面視において平歯車様の構成を有する。内キャップ２の歯２０３は、後述の初期状態において、外キャップ３の歯３０４と噛み合う。
【００１４】
天板部２０１の表面には、上向きに突出した複数のラチェット歯２０４が形成されている。ラチェット歯２０４は、周方向に配列されている。ラチェット歯２０４は、第１周壁２０２の径方向内側表面に接触しており、言い換えれば、第１周壁２０２の径方向内側表面から径方向内向きに突出している。
【００１５】
各ラチェット歯２０４は、緩め方向に、天板部２０１に対して垂直な側面である第１垂直部２０５を備える。また、各ラチェット歯２０４は、締め方向に、第１傾斜部２０６を備える。第１傾斜部２０６の天板部２０１からの高さは、締め方向に進むに連れて漸次減少している。内キャップ２のラチェット歯２０４は、後述の外キャップ３のラチェット爪３０６と協働して、ラチェット機構を構成する。内キャップ２のラチェット歯２０４は、ラチェット機構の歯として機能する。
【００１６】
内キャップ２の天板部２０１の下には、容器９の口部の雄ねじ（図示せず）に嵌め合わされる雌ねじ２０９が形成されている。
【００１７】
［１−３．外キャップ］
以下、図１及び図５〜８を参照して外キャップ３の構造について説明する。図５は、外キャップ３の斜視図である。図６及び図７は、それぞれ外キャップ３の平面図及び底面図である。図８は、外キャップ３を図６のＶＩＩＩ−ＶＩＩＩ方向に見た片側断面図である。図８の左半分は外キャップ３の側面図であり、右半分は断面図である。
【００１８】
外キャップ３は、中心軸Ｃを中心とする円板形状の天板部３０１と、天板部３０１の周縁から下方に延びた円筒形状の第２周壁３０２とを備える。図８に示すように、外キャップ３の第２周壁３０２の径方向内側表面には、径方向内向きに突出した内周リブ３０３が形成されている。後述の初期状態において、外キャップ３の内周リブ３０３は、内キャップ２の歯２０３の上に乗る（図１１参照）。
【００１９】
外キャップ３の第２周壁３０２の径方向内側表面には、内周リブ３０３より下方に、径方向内向きに突出した複数の歯３０４が形成されている。歯３０４は、周方向に配列されている。複数の歯３０４は、平面視において内歯車様の構成を有する。外キャップ３の歯３０４は、後述の初期状態において、内キャップ２の歯２０３と噛み合う。
【００２０】
外キャップ３は、天板部３０１の裏面から下方に延びた円筒形状の壁３０５を更に備える。壁３０５の径方向外側表面と第２周壁３０２の径方向内側表面との間には隙間がある。外キャップ３は、天板部３０１の裏面から下方に延びた複数のラチェット爪３０６を更に備える。ラチェット爪３０６は、周方向に配列されている。ラチェット爪３０６は、外キャップ３の壁３０５の径方向外側表面に接触しており、言い換えれば、壁３０５の径方向外側表面から径方向外向きに突出している。
【００２１】
各ラチェット爪３０６は、締め方向に、天板部３０１に対して垂直な側面である第２垂直部３０７を備える。また、各ラチェット爪３０６は、緩め方向に、第２傾斜部３０８を備える。天板部３０１の裏面から第２傾斜部３０８までの距離は、緩め方向に進むに連れて漸次減少している。外キャップ３のラチェット爪３０６は、内キャップ２のラチェット歯２０４と協働して、ラチェット機構を構成する。外キャップ３のラチェット爪３０６は、ラチェット機構の爪又は歯止めとして機能する。
【００２２】
［２．動作］
図９〜２１を参照して、上記のように構成されたキャップ１の動作について説明する。キャップ１の状態は、使用者の操作によって、ＣＲ機能が無効である初期状態（「ＣＲ無効状態」又は「第１状態」と呼ぶ場合もある。）からＣＲ機能が有効であるＣＲ状態（「ＣＲ有効状態」又は「第２状態」と呼ぶ場合もある。）へ切り換わることができる。
【００２３】
［２−１．初期状態］
図９は、容器９と、容器９に取り付けられた初期状態のキャップ１とを示す斜視図である。図１０は、図９の容器９及びキャップ１の平面図である。図１１は、図１０の容器９及びキャップ１をＸＩ−ＸＩ方向に見た片側断面図である。図１２は、図１１のキャップ１をＸＩＩ−ＸＩＩ方向に見た端面図である。図１３（ａ）は、図１２の外キャップ３の歯３０４と、内キャップ２の歯２０３と、を周方向に切断した断面を径方向外側から見た図である。図１３（ｂ）は、外キャップ３のラチェット爪３０６と、内キャップ２のラチェット歯２０４と、を周方向に切断した断面を径方向外側から見た図である。図１３では、紙面に向かって左方向が締め方向であり、右方向が緩め方向である。
【００２４】
図１１に示すように、初期状態においては、外キャップ３の内周リブ３０３は、内キャップ２の歯２０３の上に乗っている。また、図１２及び図１３（ａ）に示すように、初期状態においては、外キャップ３の歯３０４は、内キャップ２の歯２０３と噛み合っている。したがって、初期状態においては、外キャップ３は、内キャップ２に対して相対的に回転しない。言い換えれば、初期状態においては、外キャップ３は、内キャップ２と共に回転することはできるが、内キャップ２と独立に回転することはできない。
【００２５】
したがって、外キャップ３に緩め方向の力が加えられると、外キャップ３の歯３０４と内キャップ２の歯２０３とを介して、緩め方向の力が内キャップ２に伝わり、内キャップ２が容器９に対して緩め方向に回転する。使用者は、容器９を固定してキャップ１の外キャップ３に緩め方向の力を加えることにより、キャップ１を容器９から取り外すことができる。
【００２６】
一方、初期状態において、外キャップ３に締め方向の力が加えられると、外キャップ３の歯３０４と内キャップ２の歯２０３とを介して、締め方向の力が内キャップ２に伝わり、内キャップ２が容器９に対して締め方向に回転する。使用者は、容器９を固定してキャップ１の外キャップ３に締め方向の力を加えることにより、キャップ１を容器９に締め付け、閉栓動作を行うことができる。
【００２７】
初期状態において、外キャップ３に下方向の力を加えると、外キャップ３の内周リブ３０３が内キャップ２の歯２０３を乗り越えて下方に移動し、キャップ１はＣＲ状態に移行する。外キャップ３の下方への移動は、内キャップ２の第１周壁２０２及び歯２０３の上端が外キャップ３の天板部３０１の裏面に接触することにより終了する。
【００２８】
初期状態からＣＲ状態への移行により、外キャップ３の歯３０４の下端は、図１３（ａ）に示した、内キャップ２を基準とする初期高さ（又は第１高さ）Ｌ０から、ＣＲ高さ（又は第２高さ）Ｌ１まで下降する。外キャップ３の歯３０４の下端の初期高さＬ０とＣＲ高さＬ１との差は、初期状態における外キャップ３の天板部３０１の裏面と、内キャップ２の第１周壁２０２及び歯２０３の上端との差に等しい（図１１参照）。
【００２９】
図１３（ｂ）には外キャップ３のラチェット爪３０６と、内キャップ２のラチェット歯２０４とを示している。初期状態からＣＲ状態への移行により、外キャップ３のラチェット爪３０６の下端は、内キャップ２を基準とする初期高さ（又は第１高さ）Ｍ０から、ＣＲ高さ（又は第２高さ）Ｍ１まで下降する。
【００３０】
キャップ１を初期状態からＣＲ状態に切り換えるために必要な外キャップ３への下方向の力は、キャップ１が意図せずＣＲ状態に切り換わってしまうことを防止するために、ある程度大きな力であるように設計されてもよい。もっとも、この下方向の力は、通常の大人であれば加えることができる大きさである。例えば、この下方向の力は、通常の大人がキャップ１に体重を掛けながら手で押すことによって実現される程度の大きさの力である。例えば、キャップ１を初期状態からＣＲ状態に切り換えるために必要な外キャップ３への下方向の力の大きさは、５０Ｎ〜３００Ｎであり、例えば１００Ｎ又は２００Ｎである。
【００３１】
［２−２．ＣＲ状態］
図１４は、容器９と、容器９に取り付けられたＣＲ状態のキャップ１とを示す斜視図である。図１５は、図１４の容器９及びキャップ１の平面図である。図１６は、図１５の容器９及びキャップ１をＸＶＩ−ＸＶＩ方向に見た片側断面図である。図１７は、図１６のキャップ１をＸＶＩＩ−ＸＶＩＩ方向に見た端面図である。図１８（ａ）は、図１７の外キャップ３の歯３０４と、内キャップ２の歯２０３と、を周方向に切断した断面を径方向外側から見た図である。図１８（ｂ）は、外キャップ３のラチェット爪３０６と、内キャップ２のラチェット歯２０４と、を周方向に切断した断面を径方向外側から見た図である。
【００３２】
ＣＲ状態の図１６と初期状態の図１１とを比較してわかるように、初期状態と異なり、ＣＲ状態においては、内キャップ２の歯２０３は、外キャップ３の内周リブ３０３より上方にある。内キャップ２の第１周壁２０２及び歯２０３の上端は、外キャップ３の天板部３０１の裏面に接触している。
【００３３】
ＣＲ状態の図１７及び図１８（ａ）と初期状態の図１２及び図１３（ａ）とを比較してわかるように、初期状態と異なり、ＣＲ状態においては、外キャップ３の歯３０４と、内キャップ２の歯２０３とは、噛み合っていない。また、図１３（ｂ）と比較すると、図１８（ｂ）では、外キャップ３のラチェット爪３０６の下端が、内キャップ２のラチェット歯２０４の上端より下にある。したがって、ＣＲ状態においては、内キャップ２に対して外キャップ３が相対的に周方向に回転すると、外キャップ３のラチェット爪３０６が内キャップ２のラチェット歯２０４に接触する。
【００３４】
ＣＲ状態においては、外キャップ３の歯３０４と内キャップ２の歯２０３とが噛み合っていないため、外キャップ３に緩め方向の力が加えられても、その力が外キャップ３の歯３０４を介して内キャップ２の歯２０３に伝わることはない。
【００３５】
ＣＲ状態においては、外キャップ３に緩め方向の力が加えられると、外キャップ３が内キャップ２に対して相対的に緩め方向に移動する。この移動により、外キャップ３のラチェット爪３０６が緩め方向に移動する。例えば、外キャップ３のラチェット爪３０６は、図１８（ｂ）に示した位置から緩め方向に移動し、図１９（ｂ）に示すように内キャップ２のラチェット歯２０４に接触する。
【００３６】
図１９（ｂ）では、外キャップ３のラチェット爪３０６の第２傾斜部３０８は、内キャップ２のラチェット歯２０４の第１傾斜部２０６に接触している。この状態において、外キャップ３に緩め方向の力が加えられると、ラチェット爪３０６の第２傾斜部３０８を介して、一定の緩め方向の力が内キャップ２に伝わる。内キャップ２は、容器９にねじ作用によってしっかりと締め付けられているため、容器９に対して内キャップ２を相対的に緩め方向に回転させるためにはある程度強い力が必要である。しかし、この必要な緩め方向の力が内キャップ２に伝わる前に、外キャップ３のラチェット爪３０６は、図２０（ｂ）に示したように内キャップ２のラチェット歯２０４の第１傾斜部２０６を上る。図２０（ｂ）に示した状態から外キャップ３に緩め方向の力が更に加えられると、外キャップ３のラチェット爪３０６は、内キャップ２のラチェット歯２０４の第１傾斜部２０６を乗り越え、図２１（ｂ）に示した状態になる。図２１（ｂ）に示した状態は、図１８（ｂ）に示した状態と同様の状態である。
【００３７】
このように、外キャップ３に緩め方向の力が加えられると、外キャップ３及び内キャップ２は、図１８〜２０に示した状態を繰り返す。したがって、容器９に対して内キャップ２を相対的に緩め方向に回転させるには至らず、容器９は開栓されない。
【００３８】
開栓するためには、図１９（ｂ）のように外キャップ３のラチェット爪３０６の第２傾斜部３０８が内キャップ２のラチェット歯２０４の第１傾斜部２０６に接触している状態において、外キャップ３に下向きの力を加えながら、緩め方向の力を加える。すなわち、図１９（ｂ）に示した状態において外キャップ３に緩め方向の力を加えると、上記の通り、外キャップ３のラチェット爪３０６は、内キャップ２のラチェット歯２０４の第１傾斜部２０６を上ろうとする。この上昇動作を防ぐのに十分な下向きの力を上方から加えた押圧状態では、外キャップ３に緩め方向に力を加えると、容器９に対して内キャップ２を相対的に緩め方向に回転させるために必要な緩め方向の力が、内キャップ２に伝わる。したがって、内キャップ２が緩め方向に回転し、容器９を開栓することができる。
【００３９】
以上のような下向きの力を上方から加えつつ外キャップ３を緩め方向に回転させる動作は、子供が容易に行うことができない複雑なものである。したがって、本実施形態によるキャップ１を用いることにより、ＣＲ機能を達成できる。
【００４０】
さらに、開栓に必要な下向きの力は、子供が容易に加えることができない程度の一定の大きさの力であることが好ましい。このように設計することにより、より高いＣＲ機能を達成できる。開栓のために必要な下向きの力は、外キャップ３のラチェット爪３０６の第２傾斜部３０８及び内キャップ２のラチェット歯２０４の第１傾斜部２０６の傾斜角度及び材質などによって決定される。
【００４１】
一方、ＣＲ状態において、外キャップ３に締め方向の力が加えられると、外キャップ３のラチェット爪３０６の第２垂直部３０７が、内キャップ２のラチェット歯２０４の第１垂直部２０５を締め方向に押す（例えば図１８（ｂ）参照）。これにより、内キャップ２が容器９に対して締め方向に回転する。使用者は、容器９を固定してキャップ１の外キャップ３に締め方向の力を加えることにより、キャップ１を容器９に締め付け、閉栓動作を行うことができる。
【００４２】
一度キャップ１がＣＲ状態になると、外キャップ３に対して内キャップ２を下方に移動させようとしても、外キャップ３の内周リブ３０３の上部が内キャップ２の歯２０３の下端に当たるため（図１６参照）、容易に初期状態に戻すことはできない。
【００４３】
［３．効果等］
以上のように、本実施形態に係るキャップ１は、外キャップ３が内キャップ２に対して相対的に回転できない初期状態からＣＲ状態へ、不可逆的に移行可能である。ＣＲ状態では、外キャップ３に対して上から所定の大きさの力が加えられない限り、外キャップ３は、内キャップ２に対して緩め方向に相対的に回転する。
【００４４】
キャップ１は、初期状態からＣＲ状態へ移行可能であるため、使用者の家庭環境に応じた使用方法を選択できる。例えば、ＣＲ機能が不要な使用者は、初期状態のままキャップ１を使用し、ＣＲ機能が必要な使用者は、キャップ１の外キャップ３を上から押し込んでＣＲ状態に切り換えて使用する。ＣＲ状態への切換えは、医師や薬剤師等の操作者が行い、操作者がＣＲ状態のキャップ１を患者等の使用者に交付してもよい。
【００４５】
また、キャップ１は、初期状態からＣＲ状態へ不可逆的に移行可能である。すなわち、ＣＲ状態から初期状態へは容易には戻らない。したがって、意図せずにキャップ１が初期状態に戻り、子供がキャップ１を開けてしまうという事態は起こらない。
【００４６】
例えば蓋を押し込んだ場合にＣＲが有効な状態から無効な状態に切り換わる安全蓋においては、子供が誤って蓋を押し込んだ場合や事故によって蓋が押し込まれた場合にＣＲが無効な状態となり、子供がキャップ１を開けてしまうという事態が生じ得る。しかしながら、本実施形態に係るキャップ１は、初期状態からＣＲ状態へ不可逆的に移行可能であるため、上記のような事態は生じない。
【００４７】
＜第２実施形態＞
第１実施形態では、初期状態において外キャップ３の内周リブ３０３が内キャップ２の歯２０３の上に乗り（図１１参照）、外キャップ３の歯３０４が内キャップ２の歯２０３と噛み合う例について説明した（図１２及び図１３（ａ）参照）。しかしながら、本発明はこれに限定されない。
【００４８】
図２２は、本発明の第２実施形態に係るキャップ１１の分解斜視図である。キャップ１１は、内キャップ１２と外キャップ１３とを備える。内キャップ１２は、外キャップ１３の中に下方から嵌め込まれる。
【００４９】
内キャップ１２の第１周壁２０２の上端部付近の径方向外側表面には、径方向外向きに突出した複数の歯２０３ａが形成されている。内キャップ１２の歯２０３ａは、周方向に配列されている。複数の歯２０３ａは、平面視において平歯車様の構成を有する。
【００５０】
内キャップ１２の歯２０３ａの周囲には、平面視において中空の八角形の形状を有する噛合部２０７が形成されている。噛合部２０７の径方向内側には、径方向内向きに突出した複数の歯２０３ｂが形成されている。歯２０３ｂは、周方向に配列されている。複数の歯２０３ｂは、平面視において内歯車様の構成を有する。歯２０３ｂは、初期状態において、歯２０３ａと噛み合う。
【００５１】
内キャップ１２の噛合部２０７と歯２０３ａとは、連結部２０８（図２５参照）によって連結されている。連結部２０８は、噛合部２０７を軸方向に押すことにより破断できる薄肉部である。
【００５２】
外キャップ１３は、平面視において八角形の形状を有する天板部３０１ａと、天板部３０１ａの周縁から下方に延びた八角柱形状の第２周壁３０２ａとを備える。
【００５３】
図２３は、容器９と、容器９に取り付けられた初期状態のキャップ１１とを示す斜視図である。図２４は、図２３の容器９及びキャップ１１の平面図である。図２５は、図２４の容器９及びキャップ１１をＸＸＶ−ＸＸＶ方向に見た片側断面図である。図２６は、図２５のキャップ１１をＸＸＶＩ−ＸＸＶＩ方向に見た端面図である。
【００５４】
図２５に示すように、外キャップ１３には、天板部３０１ａの裏面から下方に延びた突出部３０３ａが形成されている。突出部３０３ａは、外キャップ１３の第２周壁３０２ａの径方向内側表面に接触しており、言い換えれば、第２周壁３０２ａの径方向内側表面から径方向内向きに突出している。
【００５５】
図２５に示すように、初期状態においては、外キャップ１３の突出部３０３ａは、内キャップ１２の噛合部２０７の上に乗っている。また、図２６に示すように、初期状態においては、内キャップ１２の八角形形状の噛合部２０７と、外キャップ１３の八角形形状の天板部３０１ａとが周方向に噛み合っている。したがって、初期状態においては、外キャップ１３は、内キャップ１２に対して相対的に回転しない。言い換えれば、初期状態においては、外キャップ１３は、内キャップ１２と共に回転することはできるが、内キャップ１２と独立に回転することはできない。
【００５６】
したがって、初期状態において外キャップ１３に緩め方向の力が加えられると、緩め方向の力が内キャップ１２に伝わり、内キャップ１２が容器９に対して緩め方向に回転する。使用者は、容器９を固定してキャップ１の外キャップ１３に緩め方向の力を加えることにより、キャップ１を容器９から取り外すことができる。
【００５７】
初期状態において、外キャップ１３に下方向の力を加えると、外キャップ１３の突出部３０３ａを介して、内キャップ１２の噛合部２０７に下方向の力が加わる。これにより、内キャップ１２の連結部２０８が破断し、内キャップ１２の噛合部２０７及び外キャップ１３が下方に移動し、キャップ１１はＣＲ状態に移行する。
【００５８】
図２７は、容器９と、容器９に取り付けられたＣＲ状態のキャップ１１とを示す斜視図である。図２８は、図２７の容器９及びキャップ１１の平面図である。図２９は、図２８の容器９及びキャップ１１をＸＸＩＸ−ＸＸＩＸ方向に見た片側断面図である。図３０は、図２９のキャップ１１をＸＸＸ−ＸＸＸ方向に見た端面図である。
【００５９】
図２９及び図３０に示すように、ＣＲ状態においては、内キャップ１２の噛合部２０７が落下しており、内キャップ１２の歯２０３ｂは、歯２０３ａと噛み合っていない。したがって、外キャップ１３に緩め方向の力が加えられても、その力が内キャップ１２の歯２０３ａ及び歯２０３ｂを介して内キャップ２に伝わることはない。
【００６０】
一方、ＣＲ状態においては、第１実施形態と同様に、外キャップ１３のラチェット爪３０６の下端が、内キャップ１２のラチェット歯２０４の上端より下にある。したがって、ＣＲ状態においては、内キャップ１２に対して外キャップ１３が相対的に周方向に回転すると、図１９（ｂ）と同様に、外キャップ１３のラチェット爪３０６が内キャップ１２のラチェット歯２０４に接触する。
【００６１】
ＣＲ状態における開栓動作については第１実施形態で述べたものと同様である。
【００６２】
図示の例では、八角形形状を有する内キャップ１２及び外キャップ１３について説明したが、本実施形態はこれに限定されない。例えば、内キャップ１２及び外キャップ１３は、平面視において三角形、四角形、五角形、六角形等の多角形形状を有するものであってもよい。
【符号の説明】
【００６３】
１  キャップ
２  内キャップ
３  外キャップ
９  容器
２０１  天板部
２０２  第１周壁
２０３  歯
２０４  ラチェット歯
２０５  第１垂直部
２０６  第１傾斜部
２０７  噛合部
２０８  連結部
３０１  天板部
３０２  第２周壁
３０３  内周リブ
３０４  歯
３０５  壁
３０６  ラチェット爪
３０７  第２垂直部
３０８  第２傾斜部
【図１】
2020189643.tif 000003
【図２】
2020189643.tif 000004
【図３】
2020189643.tif 000005
【図４】
2020189643.tif 000006
【図５】
2020189643.tif 000007
【図６】
2020189643.tif 000008
【図７】
2020189643.tif 000009
【図８】
2020189643.tif 000010
【図９】
2020189643.tif 000011
【図１０】
2020189643.tif 000012
【図１１】
2020189643.tif 000013
【図１２】
2020189643.tif 000014
【図１３】
2020189643.tif 000015
【図１４】
2020189643.tif 000016
【図１５】
2020189643.tif 000017
【図１６】
2020189643.tif 000018
【図１７】
2020189643.tif 000019
【図１８】
2020189643.tif 000020
【図１９】
2020189643.tif 000021
【図２０】
2020189643.tif 000022
【図２１】
2020189643.tif 000023
【図２２】
2020189643.tif 000024
【図２３】
2020189643.tif 000025
【図２４】
2020189643.tif 000026
【図２５】
2020189643.tif 000027
【図２６】
2020189643.tif 000028
【図２７】
2020189643.tif 000029
【図２８】
2020189643.tif 000030
【図２９】
2020189643.tif 000031
【図３０】
2020189643.tif 000032